(57)【要約】【課題】  洗米装置を各炊飯器側へ回動させて、炊飯器配置空間以外に余分な空間を不要にする。【解決手段】  炊飯器Ｓを載置する載置台２と、この載置台２から立設された支持体３と、この支持体３に支持されていて米を洗米して炊飯器Ｓへ投入する洗米装置４とを備える。前記炊飯器Ｓを載置台２上に複数台載置し、前記洗米装置４を各炊飯器Ｓに対向すべく支持体３に縦軸５を介して回動可能に支持された回動アーム６に装着する。【選択図】図１
2008220577.tif 000002
【特許請求の範囲】
【請求項１】
炊飯器（Ｓ）を載置する載置台（２）と、この載置台（２）から立設された支持体（３）と、この支持体（３）に支持されていて米を洗米して炊飯器（Ｓ）へ投入する洗米装置（４）とが備えられた洗米機において、
前記炊飯器（Ｓ）は載置台（２）上に複数台載置され、前記洗米装置（４）は各炊飯器（Ｓ）に対向すべく支持体（３）に縦軸（５）を介して回動可能に支持された回動アーム（６）に装着されていることを特徴とする洗米機。
【請求項２】
前記支持体（３）と回動アーム（６）との間に、洗米装置（４）を各炊飯器（Ｓ）に対向する米投入位置（Ａ）と洗米装置（４）を炊飯器（Ｓ）間に対向する中間位置（Ｂ）との内、少なくとも米投入位置（Ａ）に位置設定する位置決め機構（７）が設けられていることを特徴とする請求項１に記載の洗米機。
【請求項３】
前記洗米装置（４）と連通する給水ホース（１１）及び排水ホース（１２）が、前記縦軸（５）の下方で支持体（３）内に挿通されていることを特徴とする請求項１又は２に記載の洗米機。
【請求項４】
前記洗米装置（４）は洗米槽（１３）の下部の排水ジャケット（１４）に、炊飯器（Ｓ）からの熱を遮断する遮熱板（１５）が着脱自在に設けられていることを特徴とする請求項１〜３のいずれか１項に記載の洗米機。
【請求項５】
前記炊飯器（Ｓ）は縦軸（５）から等距離の位置に２台配置されており、炊飯器（Ｓ）は本体（Ｓ１）に蓋体（Ｓ２）が枢着され、枢着部（Ｓ３）と反対側に蓋止め部（Ｓ４）が設けられ、かつ蓋止め部（Ｓ４）寄りの側面にディスプレイ部（Ｓ５）が設けられており、一方の炊飯器（Ｓ）はディスプレイ部（Ｓ５）を機前面中央側に向けて枢着部（Ｓ３）を機側面側に配置し、他方の炊飯器（Ｓ）はディスプレイ部（Ｓ５）を機前面中央側に向けて枢着部（Ｓ３）を機背面側に配置していることを特徴とする請求項１〜４のいずれか１項に記載の洗米機。
【請求項６】
前記炊飯器（Ｓ）は本体（Ｓ１）に蓋体（Ｓ２）が着脱自在に設けられていることを特徴とする請求項１〜４のいずれか１項に記載の洗米機。
【発明の詳細な説明】
【技術分野】
【０００１】
本発明は、１台の洗米装置から複数台の炊飯器に米を投入可能にした洗米機に関する。
【背景技術】
【０００２】
この種の従来技術においては、例えば、特許文献１に開示されているように、上下二段の載置台を設け、炊飯器２個或いは炊飯器１個と内釜１個或いは内釜２個の三種類の組み合わせの受入容器を搭載可能な架台を洗米手段の下方に複数設けて、洗浄した米と炊飯用水とを下段の容器に投入する時は移動可能な案内筒体を使用し、載置台も固定とスライドを備え、洗米手段、案内筒体及び載置台等の取付高さを調節可能とし、高さの異なる受入容器や載置台の組み合わせに対応して最適の高さに容易に切り換えることができ、洗米手段はパック米対応と自動計量給米対応を揃え、洗米手段を複数備えることを可能とするように各機能をユニット化し組合せにより種々のニーズに対応可能としている（公開公報要約）。
【特許文献１】特開平１０−２８６１７７公報
【発明の開示】
【発明が解決しようとする課題】
【０００３】
前記従来技術においては、洗米手段の下方の架台上に複数台の炊飯器に米を投入可能であるが、洗米手段が不動であるのに対して、炊飯器を洗米手段の直下へ出し入れするため、炊飯器が２個であっても出すための空間を２箇所に確保しなくてはならなく、広い占有面積を必要としている。
本発明は、このような従来技術の問題点を解決できるようにした洗米機を提供することを目的とする。
本発明は、複数台の炊飯器を不動に配置して、洗米装置を各炊飯器側へ回動するように構成することにより、炊飯器配置空間以外に余分な空間を不要にできるようにした洗米機を提供することを目的とする。
【課題を解決するための手段】
【０００４】
本発明における課題解決のための具体的手段は、次の通りである。
第１に、炊飯器Ｓを載置する載置台２と、この載置台２から立設された支持体３と、この支持体３に支持されていて米を洗米して炊飯器Ｓへ投入する洗米装置４とが備えられた洗米機において、
前記炊飯器Ｓは載置台２上に複数台載置され、前記洗米装置４は各炊飯器Ｓに対向すべく支持体３に縦軸５を介して回動可能に支持された回動アーム６に装着されていることである。
【０００５】
第２に、前記支持体３と回動アーム６との間に、洗米装置４を各炊飯器Ｓに対向する米投入位置Ａと洗米装置４を炊飯器Ｓ間に対向する中間位置Ｂとの内、少なくとも米投入位置Ａに位置設定する位置決め機構７が設けられていることである。
第３に、前記洗米装置４と連通する給水ホース１１及び排水ホース１２が、前記縦軸５の下方で支持体３内に挿通されていることである。
第４に、前記洗米装置４は洗米槽１３の下部の排水ジャケット１４に、炊飯器Ｓからの熱を遮断する遮熱板１５が着脱自在に設けられていることである。
【０００６】
第５に、前記炊飯器Ｓは縦軸５から等距離の位置に２台配置されており、炊飯器Ｓは本体Ｓ１に蓋体Ｓ２が枢着され、枢着部Ｓ３と反対側に蓋止め部Ｓ４が設けられ、かつ蓋止め部Ｓ４寄りの側面にディスプレイ部Ｓ５が設けられており、一方の炊飯器Ｓはディスプレイ部Ｓ５を機前面中央側に向けて枢着部Ｓ３を機側面側に配置し、他方の炊飯器Ｓはディスプレイ部Ｓ５を機前面中央側に向けて枢着部Ｓ３を機背面側に配置していることである。
第６に、前記炊飯器Ｓは本体Ｓ１に蓋体Ｓ２が着脱自在に設けられていることである。
【０００７】
前記構成の洗米機は、洗米装置４を装着した回動アーム６を支持体３に対して回動することにより、洗米装置４を載置台２上の複数台の炊飯器Ｓに対向させることが可能となり、炊飯器Ｓを洗米装置４下方から引き出すための余分な空間が不要である。
洗米装置４は位置決め機構７によって、各炊飯器Ｓに対向する米投入位置Ａに位置設定することができ、洗米装置４を炊飯器Ｓ間に対向する中間位置Ｂに位置設定することも可能である。
洗米装置４と連通する給水ホース１１及び排水ホース１２は、縦軸５の下方で支持体３内に挿通することにより、回動アーム６を回動しても大きく振れたり、周囲物と摺接したりすることが少なくできる。
【０００８】
洗米装置４の排水ジャケット１４に遮熱板１５を設けることにより、炊飯器Ｓから洗米槽１３へ至る熱を遮断することができる。
なお、この遮熱板１５は折り畳み式又は昇降式に構成して、洗米装置４を炊飯器Ｓの上方から外れた位置にあるときに、上方側へ折り畳み又は上昇させておくようにしてもよい。
炊飯器Ｓは本体Ｓ１に蓋体Ｓ２が枢着され、枢着部Ｓ３と反対側に蓋止め部Ｓ４が設けられ、かつ蓋止め部Ｓ４寄りの側面にディスプレイ部Ｓ５が設けられた炊飯器Ｓを２台使用する場合、一方の炊飯器Ｓはディスプレイ部Ｓ５を機前面中央側に向けて枢着部Ｓ３を機側面側に配置し、他方の炊飯器Ｓはディスプレイ部Ｓ５を機前面中央側に向けて枢着部Ｓ３を機背面側に配置することにより、前記２台の炊飯器Ｓを同一のものを使用しても、開放した蓋体Ｓ２に洗米装置４が当たらないようにできる。
【０００９】
本体Ｓ１に蓋体Ｓ２が着脱自在に設けられている炊飯器Ｓは、２台でも３台でも、蓋体Ｓ２と洗米装置４の干渉を考慮せずに配置しておける。
【発明の効果】
【００１０】
本発明によれば、複数台の炊飯器を使用して洗米装置からの米を投入するのに、炊飯器配置空間以外に余分な空間を不要にでき、洗米機の占有面積を小さくできる。
【発明を実施するための最良の形態】
【００１１】
以下、本発明の実施の形態を図面に基づいて説明する。
図１〜９において、洗米機１は、米を洗米すると共にこの米を水加減水と共に排出するまでを自動で行う自動洗米機であり、パックに詰められた米を供給して洗米することを可能としたパック米対応機でもある。
洗米機１は大別して、炊飯器Ｓを載置する載置台２と、この載置台２から立設された支持体３と、この支持体３に支持されていて米を洗米して炊飯器Ｓへ投入する洗米装置４とが備えられている。
【００１２】
載置台２は２台の炊飯器Ｓを左右に並べて載置するテーブル部２１と、このテーブル部２１の背部で立ち上がっている内部空洞の衝立部２２とを有する。前記炊飯器Ｓはテーブル部２１の上面に取り付け具２３を介して固定されている。なお、炊飯器Ｓはテーブル部２１に固定せずに載置するだけでもよい。
前記炊飯器Ｓは、加熱部を備えかつ内釜を収納可能な本体Ｓ１と、この本体Ｓ１の上部周囲に枢着部Ｓ３を介して枢着されかつ蓋止め部Ｓ４を介して閉鎖される蓋体Ｓ２とを有し、本体Ｓ１の側面にはディスプレイ部Ｓ５が設けられている。
【００１３】
前記枢着部Ｓ３と蓋止め部Ｓ４とは本体Ｓ１の上部周囲に１８０度偏位した位置、即ち、反対位置に配置されており、ディスプレイ部Ｓ５は枢着部Ｓ３と蓋止め部Ｓ４との間の中央ではなく、蓋止め部Ｓ４寄りに配置されており、人が右手で蓋体Ｓ２を開閉する状態に炊飯器Ｓを配置したときにディスプレイ部Ｓ５が見易いようになっている。
図２〜７において、載置台２上に載置された２台の炊飯器Ｓは、一方（右側）の炊飯器Ｓはディスプレイ部Ｓ５を機（洗米機）前面中央側に向けて枢着部Ｓ３を機側面側に配置し、他方（左側）の炊飯器Ｓはディスプレイ部Ｓ５を機前面中央側に向けて枢着部Ｓ３を機背面側に配置している。このように配置することにより、前記２台の炊飯器Ｓを同一のものを使用しても、開放した蓋体Ｓ２に洗米装置４が当たらない。
【００１４】
前記炊飯器Ｓとしては、本体Ｓ１に蓋体Ｓ２が着脱自在に設けられているものもある。そのような炊飯器Ｓを使用する場合は、蓋体Ｓ２と洗米装置４の干渉を考慮せずに配置することができ、全ての炊飯器Ｓを前記右側炊飯器Ｓのように、正面から見て、枢着部Ｓ３を右側に、ディスプレイ部Ｓ５を左側にして配置しておける。
前記支持体３は、断面角筒形状部材をテーブル部２１の左右方向中央の上面から衝立部２２の前面に沿って立設しており、その上部で洗米装置４を支持している。この支持体３の上部には縦軸５を上下で支持する軸受部２４が設けられている。
【００１５】
前記洗米装置４の背面には回動アーム６が固定されており、この回動アーム６の後端部が前記軸受部２４内に配置されて縦軸５によって回動可能に支持されている。回動アーム６は洗米装置４を２台の炊飯器Ｓに対向できるように縦軸５の周りに９０度前後回動可能であり、各炊飯器Ｓに洗米装置４を対向した位置が米投入位置Ａ（図３、４に示す）となり、洗米装置４から炊飯器Ｓへの米の投入が可能になる。
洗米装置４は前記米投入位置Ａにあるとき洗米機１の正面から見て斜め向きとなり、その姿勢でも洗米装置４への米の供給は可能であるが、米供給時には洗米装置４を前向きにしておく方が作業が容易になる。
【００１６】
炊飯器Ｓが２台の場合、載置台２の左右方向中央が中間位置Ｂとなり、この中間位置Ｂにあるとき、洗米装置４は炊飯器Ｓ間に対向しかつ前向きとなり、米の供給が容易になるとともに、洗米装置４の操作もし易くなる。
前記洗米装置４は各位置で位置決めすることが好ましく、特に米投入位置Ａでは洗米装置４の不本意な回動を規制することが好ましい。そのために支持体３と回動アーム６との間に位置決め機構７が設けられている。
前記位置決め機構７は、図３、４、８、９に示すように、回動アーム６の下側で支持体３の上部に固定の位置決め部材２５と、回動アーム６に設けられた係合体２６とを有する。前記位置決め部材２５は縦軸５を中心とする円弧縁に２つの係合凹部２５ａと中央の係合凹部２５ｂとが形成されており、これら係合凹部２５ａ、２５ｂに前記係合体２６が係脱可能になっている。
【００１７】
前記係合体２６はスプリング等の付勢手段で位置決め部材２５に弾圧するか、またはピンの外周に弾性コロを設けてその弾性変形で係合凹部２５ａ、２５ｂに係脱するかしており、係合体２６が係合凹部２５ａに係合したとき、洗米装置４及び回動アーム６は米投入位置Ａに保持され、係合体２６が係合凹部２５ｂに係合したとき、洗米装置４及び回動アーム６は米の投入に寄与しない前記中間位置Ｂに保持される。
洗米装置４は、図１に示すように、回動アーム６の先端に固定の基板３１と、この基板３０の下面側に固定された洗米槽１３と、この洗米槽１３内に洗米水及び水加減水を供給する給水機構３２と、洗米槽１３内の米及び水を攪拌する撹拌機構３３と、洗米槽１３の下部の排米弁３４を開閉する排米弁機構３５と、洗米槽１３内の洗米水を排水する排水機構３６とを備えている。
【００１８】
前記洗米槽１３は樹脂で上部は円筒形状に、下部は円錐形状にそれぞれ形成され、下端部は円筒形状の排水ジャケット１４が形成されており、上部の後半が基板３１の下面に装着され、上部の前半は米供給口１３ａとなっている。
基板３１の上側は頭部ケース３７によって覆われ、この頭部ケース３７にコントロールパネル３８が設けられ、前記米供給口１３ａを塞ぐ開閉カバー３９も枢着されている。
給水機構３２は、水道に接続される給水ホース１１、この給水ホース１１から洗米槽１３の背面を通って頭部ケース３７内に至る給水管路４１、この給水管路４１に設けられた電磁開閉弁（図示せず）及び給水管路４１の先端で基板３１の下面に設けられた散水部材４２等を有する。
【００１９】
前記給水ホース１１は洗米装置４側から回動アーム６の下方を通って支持体３内に延設されており、支持体３内では縦軸５の略直下で軸芯に沿って位置していて、回動アーム６が回動しても前後左右に可及的に振れないようになっている。
撹拌機構３３は撹拌部材４３が基板３１に縦軸周り回転自在に支持され、この撹拌部材４３を回転駆動するモータ４４が頭部ケース３７内に設けられている。
排米弁機構３５は排水ジャケット１４内の排水口を開閉する排米弁３４と、この排米弁３４を下端に設けていて前記撹拌部材４３を貫通している弁棒４５と、頭部ケース３７内に配置されていて前記弁棒４５を昇降して排米弁３４を開閉動作させる弁駆動手段４６とを有する。
【００２０】
排水機構３６は、排水ジャケット１４の斜め後方に配置された排水ボックス４７に、排水ジャケット１４と接続された排水管４８と、洗米槽１３の上部と接続されたオーバフロー管４９と、排水を外部へ放出する排水ホース１２とが接続されている。
前記排水ホース１２は排水ボックス４７から回動アーム６の下方を通って縦軸５の下方の支持体３内に延設され、さらに載置台２の衝立部２２で下方へ延設されており、衝立部２２内では縦軸５の軸芯延長線に近い位置に配置されていて、回動アーム６が回動しても前後左右の振れを少なくなるようにしている。
【００２１】
前記排水ジャケット１３は炊飯器Ｓの蓋体Ｓ２の上方近傍高さに位置しており、炊飯器Ｓからの熱を遮断する遮熱板１５が着脱自在に設けられている。この遮熱板１５は鉄板又は樹脂板で形成され、その前後部は上向き傾斜されており、洗米装置４を回動しても炊飯器Ｓの蓋体Ｓ２と干渉しない形状であり、かつ炊飯器Ｓからの熱及び蒸気が洗米槽１３に至るのを遮断する形状となっている。
次に、前記洗米機１の洗米動作を図１０に基づいて説明する。
左側（又は右側）の炊飯器Ｓを使用する場合、洗米装置４を中央位置から一旦反対の右側（又は左側）の炊飯器Ｓ上方（右米投入位置Ａ）へ移動し（ステップ１）、上方空間があいた左側（又は右側）の炊飯器Ｓの蓋体Ｓ２を開放する（ステップ２）。
【００２２】
次に、洗米装置４を洗米機１の前面中央位置である炊飯器Ｓ間に対向する中間位置Ｂに配置して、位置決め機構７でその位置を保持させる（ステップ３）。この状態でコントロールパネル３８の電源を投入し（ステップ４）、開閉カバー３９を開いて（ステップ５）パックに詰められた米を洗米槽１３に供給する（ステップ６）。前記開閉カバー３９を閉じた後に（ステップ７）、コントロールパネル３８にて炊飯器Ｓに投入する米の量を設定する（ステップ８）。
米供給完了後に、蓋体Ｓ２が開放されている左側（又は右側）の炊飯器Ｓの上方へ洗米装置４を回動し（ステップ９）、位置決め機構７によって米投入位置Ａに保持させる。その後、コントロールパネル３８のスタートボタンを押して（ステップ１０）、洗米装置４に洗米から排米までの自動運転を開始させる（ステップ１１）。
【００２３】
洗米装置４の自動運転が開始すると、まず洗米工程が開始される。洗米工程では、給水機構３２によって洗米槽１３に水洗い用の水が給水され、撹拌機構３３の攪拌部材４３が回転して米を攪拌しながら水洗いをする。
洗米工程が終了すると、必要な水加減水が洗米槽１３に供給され、排米弁機構３５を介して排米弁３４が開き、洗米槽１３内の米と水加減水とが炊飯器Ｓの内釜内に投入される。
左側（又は右側）の炊飯器Ｓへの米投入が完了すると、洗米装置４を反対の右側（又は左側）の炊飯器Ｓ上方（右米投入位置Ａ）へ移動し（ステップ１２）、左側（又は右側）の炊飯器Ｓの蓋体Ｓ２を閉鎖する（ステップ１３）。
【００２４】
これにより、左側（又は右側）の炊飯器Ｓは炊飯可能な状態となり、ディスプレイ部Ｓ５の炊飯スタートボタンを押して（ステップ１４）炊飯を開始し、炊飯を完了させ（ステップ１５）、その後、左側（又は右側）の炊飯器Ｓの蓋体Ｓ２を開放し（ステップ１６）、内釜を取り出し（ステップ１７）、再び蓋体Ｓ２を閉じる（ステップ１８）。
前記洗米機１は、蓋体Ｓ２を着脱式にしたり、遮熱板１５を割愛したり、又は遮熱板１５を上方側へ折り畳み又は上昇可能な構成にしたりすることにより、洗米装置４が中間位置Ｂに位置した状態で左右の炊飯器Ｓの蓋体Ｓ２を開閉できるように構成することができ、そのように構成すれば、前記した洗米装置４を一方の炊飯器Ｓの上方から他方の炊飯器Ｓの上方への回動（移動）を省略することができ、洗米作業をより簡単かつ円滑にできるようになる。
【００２５】
図１１は、縦軸５から等距離の位置に３台の炊飯器Ｓを配置した実施の形態を示しており、洗米装置４は左右炊飯器Ｓ間の回動角度が大きくなり、位置決め機構７は位置決め部材２５の左右の係合凹部２５ａだけでなく、その中間の係合凹部２５ｂも米投入位置を設定するものとなっている。
洗米装置４は、左又は右の炊飯器Ｓの上方にあるとき、中央の炊飯器Ｓの蓋体Ｓ２を開閉でき、一側又は中央の炊飯器Ｓ上方にあるとき、他側の炊飯器Ｓの蓋体Ｓ２を開閉でき、左右炊飯器Ｓ間の中間位置でも位置決めできるようにしておいてもよい。
【００２６】
また、炊飯器Ｓは蓋体Ｓ２を枢着したタイプを表示しており、左右炊飯器Ｓは枢着部Ｓ３が背面に位置し、中央炊飯器Ｓは枢着部Ｓ３が右側に位置している。この炊飯器Ｓは、蓋体Ｓ２を着脱するタイプでもよく、縦軸５から等距離の位置に４台の炊飯器Ｓを配置することも可能である。
なお、本発明は前記実施形態における各部材の形状及びそれぞれの前後・左右・上下の位置関係は、図１〜１１に示すように構成することが最良である。しかし、前記実施形態に限定されるものではなく、部材、構成を種々変形したり、組み合わせを変更したりすることもできる。
【００２７】
例えば、支持体３は載置台２の衝立部２２上に一体に設けたり、衝立部２２に代えてテーブル部２１に固着してもよい。
【図面の簡単な説明】
【００２８】
【図１】本発明の実施の形態を示す右側面図である。
【図２】蓋体が閉鎖しかつ洗米装置が米投入位置の斜視図である。
【図３】洗米装置が中央位置の平面図である。
【図４】洗米装置が米投入位置の平面図である。
【図５】正面図である。
【図６】左側面図である。
【図７】蓋体が開放した斜視図である。
【図８】洗米装置の拡大平面図である。
【図９】位置決め機構の側面図である。
【図１０】洗米動作のフローチャートである。
【図１１】３台の炊飯器を配置した実施の形態を示す斜視図である。
【符号の説明】
【００２９】
１        洗米機
２        載置台
３        支持体
４        洗米装置
５        縦軸
６        回動アーム
７        位置決め機構
１１      給水ホース
１２      排水ホース
１３      洗米槽
１３      排水ジャケット
１５      遮熱板
Ａ        米投入位置
Ｂ        中間位置
【図１】
2008220577.tif 000003
【図２】
2008220577.tif 000004
【図３】
2008220577.tif 000005
【図４】
2008220577.tif 000006
【図５】
2008220577.tif 000007
【図６】
2008220577.tif 000008
【図７】
2008220577.tif 000009
【図８】
2008220577.tif 000010
【図９】
2008220577.tif 000011
【図１０】
2008220577.tif 000012
【図１１】
2008220577.tif 000013